(57)【要約】【課題】  仕切板吹出口の空気の漏れ流れを解消して、静圧性能を向上させる。【解決手段】  加振手段２，２と該加振手段２，２により加振されて往復動するブレード３とからなる第１の弾性振動板ファン１と、該第１の弾性振動板ファン１の上記ブレード３の先端部３ｂ付近に位置して、送風可能な状態で、該ブレード３の空気吸込部側領域と空気吹出部側領域とを仕切る仕切板５と、加振手段２，２と該加振手段２，２により加振されて往復動するブレード３とからなる第２の弾性振動板ファン１ａとを備え、上記第２の弾性振動板ファン１ａは、上記第１の弾性振動板ファン１の上流側にあって、上記第１の弾性振動板ファン１と逆の位相関係で駆動されるように構成し、第１の弾性振動板ファン１の空気吹出口の負圧領域の正圧性を高めて漏れ流れの発生を防止した。【選択図】        図１
2005127178.tif 000002
【特許請求の範囲】
【請求項１】
加振手段（２），（２）と該加振手段（２），（２）により加振されて往復動するブレード（３）とからなる第１の弾性振動板ファン（１）と、該第１の弾性振動板ファン（１）の上記ブレード（３）の先端部（３ｂ）付近に位置して、送風可能な状態で、該ブレード（３）の空気吸込部側領域と空気吹出部側領域とを仕切る仕切板（５）と、加振手段（２），（２）と該加振手段（２），（２）により加振されて往復動するブレード（３）とからなる第２の弾性振動板ファン（１ａ）とを備え、上記第２の弾性振動板ファン（１ａ）は、上記第１の弾性振動板ファン（１）の上流側にあって、上記第１の弾性振動板ファン（１）の負圧領域の漏れ流れを解消するように構成されていることを特徴する送風ユニット。
【請求項２】
第２の弾性振動板ファン（１ａ）は、第１の弾性振動板ファン（１）に対して、相対的に小型で補助的な送風機能を有するものとして構成されていることを特徴とする請求項１記載の送風ユニット。
【請求項３】
第２の弾性振動板ファン（１ａ）は、第１の弾性振動板ファン（１）の直上流側にあって、駆動位相が逆であることを特徴とする請求項１又は２記載の送風ユニット。
【請求項４】
第２の弾性振動板ファン（１ａ）は左右一対の２組のものよりなり、第１の弾性振動板ファン（１）の直上流側左右両側に所定の間隔を保って設けられていることを特徴とする請求項１又は２記載の送風ユニット。
【請求項５】
左右一対の第２の弾性振動板ファン（１ａ），（１ｂ）は、それぞれ全体が独立に設けられ、独立に駆動されるようになっていることを特徴とする請求項４記載の送風ユニット。
【請求項６】
左右一対の第２の弾性振動板ファン（１ａ），（１ｂ）は、それぞれブレード部（３），（３）のみが独立に設けられ、共通の加振手段（２ｃ），（２ｃ）により駆動されるようになっていることを特徴とする請求項４記載の送風ユニット。
【発明の詳細な説明】
【技術分野】
【０００１】
本願発明は、弾性振動板ファンを用いた送風ユニットの構造に関するものである。
【背景技術】
【０００２】
一般に弾性振動板ファンは、加振手段と、該加振手段により加振可能に支持された弾性率の大きい薄板よりなるブレードと、上記加振手段およびブレードの基端側を固定する固定手段とから構成されている。
【０００３】
今、これを同弾性振動板ファンが、例えば圧電ファンである場合について示すと、図４のようになる。
【０００４】
すなわち、該弾性振動板ファン１は、例えば加振手段としての一対の圧電体２，２と、該一対の圧電体２，２の間に挟持された弾性率の大きい例えばプラスチック製の薄板よりなるブレード３と、上記圧電体２，２およびブレード３の基端側を固定する固定部材４とから構成されている（いわゆるバイモルフ素子構造）。ブレード３は、例えば一対の圧電体２，２よりも長さが長く、所望の風量を得るに十分な振幅と羽根幅のものに形成されている。
【０００５】
今、上記一対の圧電体２，２に正弦波の駆動電圧を印加すると、何れか一方側の圧電体２が伸びる一方、他方側の圧電体２が縮み、印加される駆動電圧の極性に応じて所定の周期で屈曲作動するようになり、上記固定部材４部分を固定して、その共振周波数の正弦波駆動電圧を与えるようにすると、上記ブレード３が、所定の振幅で、うちわ状に振動する。そして、ブレード３が中正点に復元するときに、押し出された空気が矢印で示すように前面方向に飛び出し、風を発生させる（例えば特許文献１，特許文献２参照）。
【０００６】
【特許文献１】特開２０００−１１０７９６号公報（第１−３頁、図１−２）
【０００７】
【特許文献２】特開昭６２−５５５００号公報（第１−４頁、第１図）  しかし、これら各特許文献に示される従来の弾性振動板ファンは、何れもファン単体としてオープン状態での使用が想定されるに停っており、例えば具体的に空気調和機等の送風ユニットとして考えた場合、静圧性能が低く、ブレードの空気吸込側と空気吹出側との間の圧力差が取れないので、送風効率が悪く、送風ユニットとして有効な送風性能が得られない問題がある。
【０００８】
そこで、このような事情に鑑み、例えば図５および図６に示すように、上記弾性振動板ファン１のブレード３の空気吸込空間側と空気吹出空間側との間に位置して、それら両者の間を送風可能な状態で仕切る仕切板５を設けることにより、効果的に静圧性能を向上させ、それらの間に有効な圧力差を取れるようにして、空気調和機等の送風ユニットとして機能し得る程度にまで送風性能を向上させることが考えられている。
【０００９】
この仕切板５は、全体として、略上記ブレード３の先端部３ｂの振動軌跡に対応して略円弧板形状に構成され、同略円弧板５ｃ部分には、上記ブレード３の先端部３ｂの幅と振幅（最大振幅）に対応してブレード３の先端部３ｂを揺動自在に所定の隙間を有して嵌合（遊嵌）させるブレード嵌合口６が設けられている。一方、その左右両端側は、平板形状の仕切壁５ａ，５ｂに構成されている。該左右の仕切壁５ａ，５ｂ部分は、当該仕切板５自体を例えば送風ユニットの本体ケーシング（その空気吹出口）等に固定する機能を有している。
【００１０】
したがって、このような構成では、上記弾性振動板ファン１と空気吹出用の開口部（ブレード嵌合口部６）は、その空気吹出空間側と空気吸込空間側とが上記略円弧板形状の仕切板５によってクローズド状態に仕切られ、ブレード３の周囲からの風が、ブレード３の先端部３ｂ側空気吹出用開口部（ブレード嵌合口６）から効率良く吹き出されて行くようになり、ブレード３の空気吹出部側と空気吸込部側との間に十分な圧力差を確保することができるようになる。つまり、静圧性能が大きく向上する。
【発明の開示】
【発明が解決しようとする課題】
【００１１】
ところが、以上のように仕切板５を設けた場合にも、次のような問題がある。
【００１２】
つまり、上述のような弾性振動板ファン１は、１枚のブレード３を左右に揺動させる構成であるために、例えば図７中に矢印で示すように、当該ブレード３が一方側（図示左側）に揺動した時には、全体の空気が同揺動方向に偏位して吹き出されるようになり、空気吹出用開口部（ブレード嵌合口６）の他方側（図示右側）の領域では負圧領域が生じ、逆に開口部外側の空気が吸い込まれる漏れ流れが生じる。つまり、仕切板５の設置による静圧性能の向上にも限界が生じる。
【００１３】
この結果、静圧性能が低下する。
【００１４】
本願発明は、このような問題を解決するためになされたもので、上記仕切板の空気吹出用開口部に対応する第１の弾性振動板ファンに対して、上記負圧領域側に対応して正圧性を高める第２の弾性振動板ファンを設けることにより、上述のような漏れ流れを解消させて、吹出領域全体の静圧を向上させるようにした送風ユニットを提供することを目的とするものである。
【課題を解決するための手段】
【００１５】
本願発明は、上記の目的を達成するために、次のような課題解決手段を備えて構成されている。
【００１６】
（１）  第１の課題解決手段
この発明の第１の課題解決手段は、加振手段２，２と該加振手段２，２により加振されて往復動するブレード３とからなる第１の弾性振動板ファン１と、該第１の弾性振動板ファン１の上記ブレード３の先端部３ｂ付近に位置して、送風可能な状態で、該ブレード３の空気吸込部側領域と空気吹出部側領域とを仕切る仕切板５と、加振手段２，２と該加振手段２，２により加振されて往復動するブレード３とからなる第２の弾性振動板ファン１ａとを備え、上記第２の弾性振動板ファン１ａは、上記第１の弾性振動板ファン１の上流側にあって、上記第１の弾性振動板ファン１の負圧領域の漏れ流れを解消するように構成されていることを特徴としている。
【００１７】
このような構成では、上記第１の弾性振動板ファン１の空気吸込部側と空気吹出部側とが、上記円弧板形状の仕切板５によって送風可能なクローズド状態に仕切られ、そのブレード３の先端部３ｂ側からの風のみが空気吹出用開口部から外方に吹き出されて行くようになり、第１の弾性振動板ファン１のブレード３の空気吸込部側と空気吹出部側との間に十分な圧力差を確保することができるようになり、その静圧性能が十分に向上する。
【００１８】
その結果、同第１の弾性振動板ファン１のブレード３の基部側から先端部側に到る全域部分の周囲から均等に空気が吸込まれて上記空気吹出用開口部方向に効率良く吹き出されるようになり、送風性能が大きく増大する。
【００１９】
そして、その場合において、さらに上記第１の弾性振動板ファン１の上流側には、当該第１の弾性振動板ファン１の負圧領域の漏れ流れを解消するように、第２の弾性振動板ファン１ａが設けられている。
【００２０】
したがって、上記第１の弾性振動板ファン１のブレード３が、一方側に揺動して他方側に負圧領域が形成されても、同部分には、第２の弾性振動板ファン１ａからの空気の吹出作用により、当該第１の弾性振動板ファン１の他方側負圧領域となる部分の空気吹出方向への正圧を高めて、従来のような外側からの漏れ流れの発生を解消する。
【００２１】
その結果、同第１の弾性振動板ファン１が対応する空気吹出用開口部全体の静圧が均一に向上し、送風性能が大きく向上する。
【００２２】
（２）  第２の課題解決手段
この発明の第２の課題解決手段は、上記第１の課題解決手段の構成において、第２の弾性振動板ファン１ａは、第１の弾性振動板ファン１に対して、相対的に小型で補助的な送風機能を有するものとして構成されていることを特徴としている。
【００２３】
このような構成によれば、第２の弾性振動板ファン１ａが、メインである第１の弾性振動板ファン１の送風状態を乱すことなく、負圧領域の漏れ流れのみを効果的に解消することができる。
【００２４】
（３）  第３の課題解決手段
この発明の第３の課題解決手段は、上記第１又は第２の課題解決手段の構成において、第２の弾性振動板ファン１ａは、第１の弾性振動板ファン１の直上流側にあって、駆動位相が逆であることを特徴としている。
【００２５】
このような構成によると、第１，第２の両弾性振動板１，１ａの各ブレード部３，３が、逆の関係で左右に揺動することから、第２の弾性振動板ファン１ａが第１の弾性振動板ファン１の送風状態を乱すことなく、第１の弾性振動板ファン１の負圧領域の漏れ流れのみを効果的に解消することができる。
【００２６】
（４）  第４の課題解決手段
この発明の第４の課題解決手段は、上記第１又は第２の課題解決手段の構成において、第２の弾性振動板ファン１ａは左右一対の２組のものよりなり、第１の弾性振動板ファン１の直上流側左右両側に所定の間隔を保って設けられていることを特徴としている。
【００２７】
このような構成によると、第１の弾性振動板ファン１の交互に生じる左右両側の負圧領域、そこでの漏れ流れを、より効果的かつ継続的に滑らかに解消することができるようになる。
【００２８】
（５）  第５の課題解決手段
この発明の第５の課題解決手段は、上記第４の課題解決手段の構成において、左右一対の第２の弾性振動板ファン１ａ，１ｂは、それぞれ全体が独立に設けられ、独立に駆動されるようになっていることを特徴としている。
【００２９】
したがって、該構成では、それら左右一対の２組の第２の弾性振動板ファン１ａ，１ｂが、各々個々の加振手段によって独立に駆動される。
【００３０】
（６）  第６の課題解決手段
この発明の第６の課題解決手段は、上記第４の課題解決手段の構成において、左右一対の第２の弾性振動板ファン１ａ，１ｂは、それぞれブレード部３，３のみが独立に設けられ、共通の加振手段２ｃ，２ｃにより駆動されるようになっていることを特徴としている。
【００３１】
したがって、該構成では、それら左右一対の２組の第２の弾性振動板ファン１ａ，１ｂが、各々同一の加振手段によって共通に加振駆動され、加振手段の個数を少なくすることができ、全体の構成がシンプルかつ低コストなものになる。
【発明の効果】
【００３２】
以上の結果、本願発明によると、静圧性能、送風性能の高い、低騒音、低コストの送風ユニットを実現することが可能となり、例えば空気調和機等の送風ユニットとしても有効に使用できるようになる。
【発明を実施するための最良の形態】
【００３３】
（最良の実施の形態１）
図１は、本願発明の最良の実施の形態１に係る送風ユニットの構成および作用を示している。
【００３４】
この最良の実施の形態では、弾性振動板ファンの一例として、例えば前述のものと同様の圧電ファンが採用され、さらに一例として空気調和機の室内機等における送風ユニットとして適するように構成されている。
【００３５】
そして、その場合において、特に仕切板および補助的な弾性振動板ファンを設けて、主たる弾性振動板ファンの静圧性能を有効に向上させることによって、送風機としての送風性能を有効にアップし、送風性能を向上させたことを特徴としている。
【００３６】
図１中、先ず符号１は、当該送風ユニットのメインとなる第１の弾性振動板ファンであり、一例として圧電ファンにより構成されている。該第１の弾性振動板ファン１は、例えば圧電セラミック等よりなる加振手段としての左右一対の圧電体２，２と、該左右一対の圧電体２，２の間に挟持された弾性率の大きい例えばプラスチック製の薄板よりなるブレード３と、上記左右一対の圧電体２，２およびブレード３の基端側を固定する固定部材４とから構成されている（いわゆるバイモルフ素子構造）。ブレード３は、加振手段である左右一対の圧電体２，２よりも長さが長く、それ単独で所望の風量を得るに十分な振幅と羽根幅のものに形成されている。
【００３７】
今、上記加振手段としての左右一対の圧電体２，２に正弦波の駆動電圧を印加すると、何れか一方側の圧電体２が伸びる一方、他方側の圧電体２が縮み、印加される駆動電圧の極性に応じて所定の周期で屈曲作動するようになり、上記固定部材４部分を固定して、その共振周波数の正弦波駆動電圧を与えるようにすると、上記ブレード３が、所定の振幅で、うちわ状に左右に振動（往復揺動）する。そして、ブレード３が中正点に復元するときに、押し出された空気が前面方向に飛び出し、風を発生させる。
【００３８】
この時の風速および風量は、上記共振周波数やブレード３の先端振幅、羽根幅に依存する。またブレード３の先端部３ｂの振幅は、印加される駆動電圧の大きさに依存する。
【００３９】
このような構成の第１の弾性振動板ファン１では、多翼ファン（シロッコファン）のような回転機構等の摺動部がないので、耐久性に優れ、またコイル部がないので電磁ノイズも発生しない。したがって、消費電力量も小さく、送風時の騒音も低い。
【００４０】
ところで、この場合、前述の図４の構成のように、当該第１の弾性振動板ファン１のブレード３の先端部３ｂが単に吹出空間方向にオープンな状態で対応しているだけの場合には、すでに従来の問題点として述べたように、静圧性能が低く、空気吸込側と空気吹出側との圧力差が取れないので、極めて送風効率が悪く、送風ユニットとしての有効な送風性能が得られない。
【００４１】
そこで、この実施の形態では、当該第１の弾性振動板ファン１のブレード３の空気吸込部側（上流側）と空気吹出部側（下流側）との間に、同部分における第１の弾性振動板ファン１のブレード３の先端部３ｂ部分に位置して、第１の弾性振動板ファン１の空気吸込空間側と空気吹出空間側とをクローズド状態に仕切る仕切板５を設けて、ブレード３の空気吹出空間側と空気吸込空間側との間に有効な圧力差が生じるように構成している。
【００４２】
この仕切板５は、例えば図１中に詳細に示されているように、全体として上記ブレード３の先端部３ｂの振動軌跡に対応して略円弧板形状に構成され、同略円弧板５ｃ部分には、上記ブレード３の先端部３ｂの幅と振幅（最大振幅）に対応してブレード３の先端部３ｂを振動自在に所定の隙間を有して嵌合（遊嵌）させるブレード嵌合口６が設けられている。一方、その両端側は、平板形状の仕切壁５ａ，５ｂに構成されている。該仕切壁５ａ，５ｂ部分は、当該仕切板５自体を例えば空気調和機用室内機等の図示しない本体ケーシングの空気吹出側開口部の側板間に固定する機能をも有している。
【００４３】
したがって、このような構成では、上記第１の弾性振動板ファン１の空気吸込空間と空気吹出空間とは、上記略円弧板形状の仕切板５によってクローズド状態に仕切られ、ブレード３の先端部３ｂ側からの風のみが、空気吹出用開口部としての上記ブレード嵌合口６から上記空気吹出空間側に吹き出されて行くようになり、ブレード３の空気吹出領域側と空気吸込領域側との間に十分な圧力差を確保することができるようになる。つまり、静圧性能が大きく向上する。
【００４４】
その結果、上記第１の弾性振動板ファン１のブレード３の基部３ａ側から先端部３ｂ側に到る全域部分の周囲から、均等に空気が吸込まれて、空気吹出用の開口部であるブレード嵌合口６を通して外部空間側に効率良く吹き出されるようになる。
【００４５】
つまり、上記のように仕切板５を設けると、第１の弾性振動板ファン１の送風手段としての静圧性能が向上し、送風能力が増大する。
【００４６】
ところが、以上のように仕切板５を設けた場合にも、上記第１の弾性振動板ファン１は、１枚のブレード３を左右に揺動させる構成であるために、そのままでは例えば前述の図７に示すように、当該ブレード３が一方側に揺動した時には、全体の空気が同揺動方向に偏位して吹き出されるようになり、空気吹出用開口部であるブレード嵌合口６の他方側の領域では負圧領域が生じ、逆に開口部外側の空気が吸い込まれる漏れ流れが生じる。
【００４７】
この結果、その分だけ静圧性能が低下し、送風性能のアップに限界が生じる。
【００４８】
そこで、このような問題を解決するために、この最良の実施の形態では、上記仕切板５の吹出用開口部であるブレード嵌合口６に対応するメイン側第１の弾性振動板ファン１に対して、その直上流側（同一軸線上）に所定の距離をおいて、上記負圧領域側に対応したサブ側第２の弾性振動板ファン１ａを設けることにより、上述のような漏れ流れを解消するようにしている。
【００４９】
該第２の弾性振動板ファン１ａは、上記第１の弾性振動板ファン１と同様の圧電ファンよりなり、例えば圧電セラミック等よりなる加振手段としての左右一対の圧電体２，２と、該左右一対の圧電体２，２の間に挟持された弾性率の大きい例えばプラスチック製の薄板よりなるブレード３と、上記左右一対の圧電体２，２およびブレード３の基端側を固定する固定部材４とから構成されている（いわゆるバイモルフ素子構造）。ブレード３は、加振手段である左右一対の圧電体２，２よりも長さが長く、それ単独で所望の風量を得るに十分な振幅と羽根幅のものに形成されている。
【００５０】
今、上記同第２の弾性振動板ファン１ａの上記加振手段としての左右一対の圧電体２，２に正弦波の駆動電圧を印加すると、何れか一方側の圧電体２が伸びる一方、他方側の圧電体２が縮み、印加される駆動電圧の極性に応じて所定の周期で屈曲作動するようになり、上記固定部材４部分を固定して、その共振周波数の正弦波駆動電圧を与えるようにすると、上記ブレード３が、所定の振幅で、うちわ状に左右に振動（往復揺動）する。そして、ブレード３が中正点に復元するときに、押し出された空気が前面方向に飛び出し、風を発生させる。
【００５１】
ただし、この第２の弾性振動板ファン１ａは、上記第１の弾性振動板ファン１よりも小型、小風量のものとなっていて、少なくとも上記第１の弾性振動板ファン１の負圧領域の漏れ流れを解消し得るに足るものとなっている。
【００５２】
そして、該第２の弾性振動板ファン１ａは、図１に示すように、上記第１の弾性振動板ファン１とは逆位相の関係で駆動されるようになっている。
【００５３】
したがって、上記第１の弾性振動板ファン１のブレード３が、一方側（図１の左側）に揺動した時には、上記第２の弾性振動板ファン１ａのブレード３が他方側（図１の右側）に揺動して、図１の矢印で示すように、当該第１の弾性振動板ファン１の他方側負圧領域となる部分の空気吹出方向への正圧を高め、従来のような外側からの漏れ流れの発生を解消する。
【００５４】
その結果、同第１の弾性振動板ファン１が対応する空気吹出用開口部（ブレード嵌合口６）全体の正圧が均一に向上し、風速分布が均一になって、送風性能が大きく向上する。
【００５５】
しかも、上記第２の弾性振動板ファン１ａは、上記第１の弾性振動板ファン１に対して、相対的に小型で補助的な送風機能を有するものとして構成されている。
【００５６】
したがって、第２の弾性振動板ファン１ａが作動しても、第１の弾性振動板ファン１の送風状態を乱すことなく、負圧領域の漏れ流れのみを効果的に解消することができる。
【００５７】
また上記第１，第２の両弾性振動板ファン１，１ａの各ブレード部３，３は、相互に逆の位相関係で左右に揺動することから、より第１の弾性振動板ファン１の送風状態を乱すことなく、より効果的に負圧領域の漏れ流れのみを解消することができる。
【００５８】
以上の結果、同構成によると、静圧性能、送風性能の高い、低騒音、低コストの送風ユニットを実現することが可能となり、空気調和機等の送風ユニットとしても有効に使用できるようになる。
【００５９】
（最良の実施の形態２）
次に図２は、本願発明の最良の実施の形態２に係る送風ユニットの構成および作用を示している。
【００６０】
この最良の実施の形態の構成では、上記最良の実施の形態１と同様の目的を達成するに際し、第２の弾性振動板ファン１ａを、全体として相互に独立した左右一対の２組のものにより構成し、それら左右一対の第２の弾性振動板ファン１ａ，１ｂを上記第１の弾性振動板ファン１の直上流側の左右両側に所定の間隔を保って設けたことを特徴としている。
【００６１】
そして、該構成では、それら左右一対の第２の弾性振動板ファン１ａ，１ｂが個々の加振手段である圧電体２，２によって独立に駆動され、第１の弾性振動板ファン１の左右に平行な風を流すようになっている。
【００６２】
このような構成によると、駆動位相を逆にすることなく、第２の弾性振動板ファン１ａ，１ｂを駆動して、第１の弾性振動板ファン１の左右両側の負圧領域、その漏れ流れを、より効果的かつ継続的に滑らかに解消することができるようになる。
【００６３】
また、その結果、全体としての送風量もアップする。
【００６４】
（最良の実施の形態３）
図３は、本願発明の最良の実施の形態３に係る送風ユニットの構成と作用を示している。
【００６５】
この最良の実施の形態の構成では、上記最良の実施の形態２と同様の目的を達成するに際し、同様の位置に設けられた左右一対の第２の弾性振動板ファン１ａ，１ｂは、それぞれブレード部３，３のみが独立に設けられ、当該ブレード部３，３の基端３ａ，３ａ側は、左右方向に所定の長さを有する連結部材７の両端７ａ，７ｂに取り付けて支持されている。そして、連結部材７を介して第１の弾性振動板ファン１の上述した吹出側ブレード部３とは反対側にそれぞれ所定の長さ突出させて設けたブレード部３の延設端３ｃとその両側の左右一対の圧電体２の延設端２ｃ，２ｃよりなる共通の加振手段に連結され、同加振手段により図示仮想線に示すような左右方向の加振力を得て共通に駆動されるようになっていることを特徴としている。
【００６６】
つまり、この構成では、上記第１の弾性振動板ファン１のブレード部３と圧電体２，２部分が、それぞれ固定部材４部分を中心（３ａ，２ａ，２ａ）として前後両方向に突出（３ｂ，３ｃ、２ｂ，２ｂ、２ｃ，２ｃ部分参照）し、前後両側で加振用のアクチュエータ機能を果たすようになっている。
【００６７】
したがって、該構成では、第１の弾性振動板ファン１に加え、それら左右一対の第２の弾性振動板ファン１ａ，１ｂが各々実質的に同一の加振手段２，２（２ｂ，２ｂ、２ｃ，２ｃ）によって共通に加振駆動され、加振手段の個数を少なくすることができ、第２の弾性振動板ファン１ａ，１ｂがシンプルかつ低コストなものになる。また、全体としての送風量もアップする。
【００６８】
この場合、上記第１（１つ）、第２（２つ）の３つの弾性振動板ファン１，１ａ，１ｂは、もちろん上記同一加振手段の加振周波数で共振するように、ブレード３全体の長さや材質が選ばれる。
【図面の簡単な説明】
【００６９】
【図１】本願発明を実施するための最良の形態１に係る送風ユニットの構成を示す上面側から見た断面図である。
【図２】本願発明を実施するための最良の形態２に係る送風ユニットの構成を示す上面側から見た断面図である。
【図３】本願発明を実施するための最良の形態３に係る送風ユニットの構成を示す上面側から見た断面図である。
【図４】従来例に係る送風ユニットの構成を示す斜視図である。
【図５】同送風ユニットの要部である仕切板とそのブレード嵌合口部の斜視図である。
【図６】同送風ユニットの左側面側から見た縦断面図である。
【図７】同送風ユニットの作用上の問題点を示す上面側から見た水平断面図である。
【符号の説明】
【００７０】
１：第１の弾性振動板ファン
１ａ：第２の弾性振動板ファン
２（２ａ，２ｂ，２ｃ）：圧電体
３（３ａ，３ｂ，３ｃ）：ブレード
４：固定部材
５：仕切板
５ｃ：略円弧板部
５ａ，５ｂ：仕切壁部
６：ブレード嵌合口
７：連結部材
【図１】
2005127178.tif 000003
【図２】
2005127178.tif 000004
【図３】
2005127178.tif 000005
【図４】
2005127178.tif 000006
【図５】
2005127178.tif 000007
【図６】
2005127178.tif 000008
【図７】
2005127178.tif 000009